(57)【要約】【課題】表示装置を例えば横置きから縦置きに動かすことができ、しかもその高さを自由に調整することのでき、さらにはガタツキ等を効果的に防止した表示装置用のスタンドを提供する。【解決手段】表示装置２を搭載するスタンド１である。表示装置２をその表示面方向に回動させる回動機構３と、表示装置２を鉛直方向に昇降させる昇降機構４とを備えてなる。昇降機構４は、少なくとも二つ以上の固定部１９と、これら固定部１９にそれぞれ昇降可能に設けられ、かつ表示装置２を保持する可動部１５とを備えて構成されたものである。【選択図】　　図１
2004070279.tif 000002
【特許請求の範囲】
【請求項１】
表示装置を搭載するスタンドであって、
前記表示装置をその表示面方向に回動させる回動機構と、前記表示装置を鉛直方向に昇降させる昇降機構とを備えてなり、
前記昇降機構は、少なくとも二つ以上の固定部と、これら固定部にそれぞれ昇降可能に設けられ、かつ前記表示装置を保持する可動部とを備えて構成されたものであることを特徴とする表示装置用スタンド。
【請求項２】
前記昇降機構は、前記表示装置を支持する付勢部を備えて形成され、
前記付勢部には、該付勢部が支持する重量に釣り合うように形成された付勢部材が備えられていることを特徴とする請求項１記載の表示装置用スタンド。
【請求項３】
前記昇降機構には、前記表示装置の昇降の際に前記固定部側と可動部側との間に抵抗を付与する、ダンパー機構が設けられていることを特徴とする請求項１又は２記載の表示装置用スタンド。
【請求項４】
前記回動機構には、前記昇降機構によって前記表示装置が所定の高さ以上に上昇させられた状態でのみ、該表示装置の回動を可能とする保持機構が設けられていることを特徴とする請求項１〜３のいずれかに記載の表示装置用スタンド。
【発明の詳細な説明】
【０００１】
【発明の属する技術分野】
本発明は、特に薄型でしかも大型のディスプレイを搭載するのに好適な、表示装置用スタンドに関する。
【０００２】
【従来の技術】
近年、プラズマディスプレイや液晶ディスプレイといった薄型で大型の表示装置が提供されるようになってきている。一方、映像ソースの多様化も進み、例えばディジタルカメラの写真鑑賞や、商業・公共等のための表示画像などとして、表示画面の角度を通常の横長画面とする横置きから、縦長画面とする縦置きに動かして見る形態のものが増えつつあり、このような形態を可能にするための画面回転機構も提供されている（例えば、特許文献１、特許文献２参照）。
【０００３】
また、表示装置を見る側からは、見る位置や状態（姿勢）に応じてより見易くなるよう、具体的には、床に寝転んでいる状態、ベッドに寝ている状態、椅子に腰掛けている状態、立っている状態等に応じて、表示装置が目線の高さにほぼ一致するよう、その高さが自由に調整できるようになることが要望されている。
【０００４】
【特許文献１】
特開平９−１７１３５５号公報
【特許文献２】
特開平１０−２３２６２２号公報
【０００５】
【発明が解決しようとする課題】
しかしながら、従来では、特に薄型でしかも大型の表示装置の普及が十分になされていないため、このような表示装置を例えば横置きから縦置きに動かすことができ、しかもその高さを調整することのできるようなスタンドはほとんど知られていない。
また、特に表示装置の高さを調整する場合、予め決められた位置に段階的に調整するのでなく、高さを自由な位置に調整することのできる、いわゆるフリーストップによる高さ調整が望まれている。
【０００６】
また、表示装置の昇降をあまりに小さい力で可能にしてしまうと、わずかな振動等によって表示装置が不測に昇降（特に下降）してしまうことが考えられ、したがってそのような不測の昇降への対策も望まれている。
また、特に表示装置が大型である場合には、これが重量物となってしまい、したがって例えばこれの高さを変えようとした場合や、横置きから縦置きに動かそうとした場合など、ガタツキや左右へのブレなどにより、全体が傾き、倒れてしまうといった不都合が生じる可能性がある。
【０００７】
本発明は前記事情に鑑みてなされたもので、その目的とするところは、表示装置を例えば横置きから縦置きに動かすことができ、しかもその高さを自由に調整することのでき、さらには不測の昇降への対策を施し、ガタツキ等を効果的に防止した表示装置用のスタンドを提供することにある。
【０００８】
【課題を解決するための手段】
本発明の表示装置用スタンドでは、表示装置を搭載するスタンドであって、前記表示装置をその表示面方向に回動させる回動機構と、前記表示装置を鉛直方向に昇降させる昇降機構とを備えてなり、前記昇降機構は、少なくとも二つ以上の固定部と、これら固定部にそれぞれ昇降可能に設けられ、かつ前記表示装置を保持する可動部とを備えて構成されたものであることを前記課題の解決手段とした。
【０００９】
この表示装置用スタンドによれば、回動機構によって表示装置をその表示面方向に回動、すなわち横置きから縦置き、あるいはその逆に動かすことが可能になり、また、昇降機構によって表示装置を鉛直方向に昇降させることが可能になる。
また、特に表示装置が大型であり、重量物である場合にも、少なくとも二つ以上の固定部および可動部で表示装置を昇降可能に保持することにより、昇降時にもガタツキがなく、また左右へのブレや揺れのない安定した保持及び昇降を行うことが可能になる。さらに、表示装置を回動した際のモーメントにより、全体が傾き、倒れてしまうといった不都合が確実に防止される。
【００１０】
また、前記表示装置用スタンドにおいては、前記昇降機構は、前記表示装置を支持する付勢部を備えて形成され、前記付勢部には、該付勢部が支持する重量に釣り合うように形成された付勢部材が備えられているのが好ましい。
このようにすれば、付勢部材が表示装置等の重量に釣り合って形成されているので、表示装置に力を加えてこれを昇降させた後、加えた力を解除すると表示装置はその位置で付勢部材の付勢力に釣り合い、その高さを維持するようになる。したがって、表示装置は自由に高さ調整が可能となる、いわゆるフリーストップとなる。
【００１１】
また、前記表示装置用スタンドにおいては、前記昇降機構に、前記表示装置の昇降の際に前記固定部側と可動部側との間に抵抗を付与する、ダンパー機構が設けられているのが好ましい。
このようにすれば、ダンパー機構によって固定部側と可動部側との間に抵抗を付与することができ、これによりわずかな振動等によって表示装置が不測に昇降（特に下降）してしまうことが防止される。
【００１２】
また、前記表示装置用スタンドにおいては、前記回動機構に、前記昇降機構によって前記表示装置が所定の高さ以上に上昇させられた状態でのみ、該表示装置の回動を可能とする保持機構が設けられているのが好ましい。
このような保持機構を設ければ、前記の所定の高さを、表示装置を横置きから縦置きにする場合やその逆の場合に表示装置の側部（角部）がその支持面（設置面）に干渉しないような高さとしておくことにより、表示装置を回動させる際、これが支持面（設置面）に干渉して回動が不能になってしまうといった不都合が確実に防止される。
【００１３】
【発明の実施の形態】
以下、本発明を図面に基づいて詳しく説明する。
図１（ａ）、（ｂ）は本発明の表示装置用スタンドの一実施形態例を示す図であり、図１（ａ）、（ｂ）中符号１は表示装置用スタンド（以下、スタンドと記す）、２はこのスタンド１に搭載された薄型で大型のディスプレイ（表示装置）である。ディスプレイ２は、例えば４２インチ画面、重量が３０ｋｇ程度のプラズマ型のディスプレイである。
【００１４】
スタンド１は、図１（ｂ）に示すようにディスプレイ２の背面に取り付けられてこれを回動可能に保持する回動機構３と、この回動機構３を介してディスプレイ２を昇降可能に保持する昇降機構４とを備えて構成されたものである。
回動機構３は、図２に示すように、ねじ等（図示せず）によりディスプレイ２の背面に取り付けられた上取付板５及び一対のＬ字状下取付板６、６と、ねじ等によりこれら取付板５、６に取り付けられたリング状の回動装置７と、ねじ等によりこの回動装置７の背面側に取り付けられた円盤状のカム板８及び一対の裏取付板９、９とを備えて構成されたものである。
なお、本例においては、横置きにされたディスプレイ２に対して上取付板５が水平に取り付けられており、また下取付板６もその一方の板部を水平にして取り付けられている。
【００１５】
回動装置７は、図３（ａ）〜（ｃ）に示すように、大径の固定リング１１とこれに回動可能に取り付けられた小径の回動リング部１２とを有して形成されたものである。固定リング１１には、図３（ａ）に示すようにその内周側に横断面半円弧状の底部を形成してなる凹状溝１１ａが形成され、回動リング１２には、図３（ｂ）に示すようにその外周側に横断面半円弧状の底部を形成してなる凹状溝１２ａが形成されている。なお、固定リング１１の内径Ｄ１と回動リング１２の外径Ｄ２とは略同一となっており、これによって各凹状溝１１ａ、１２ａの周縁は互いに接するようになっている。
また、図３（ｃ）に示すようにこれら固定リング１１の凹状溝１１ａ内及び回動リング１２ａの凹状溝１２ａ内には、多数のボールベアリング１３が回動自在に収容されており、これによって回動リング１２は固定リング１１に対し円滑に回動するようになっている。
【００１６】
ここで、前記上取付板５及び下取付板６、６は、回動装置７における回動リング１２の一方の面側（ディスプレイ２側）に取り付けられ、カム板８は、回動装置７における回動リング１２の他方の面側（ディスプレイ２と反対の側）に取り付けられている。また、裏取付板９、９は、固定リング１１の他方の面側（ディスプレイ２と反対の側）に取り付けられている。このような構成のもとに、上取付板５及び下取付板６、６に取り付けられたディスプレイ２は、固定リング１１が取り付けられた裏取付板９、９に対し回動可能、すなわちその表示面方向に回動可能となっている。
【００１７】
カム板８は、その中心部に円形の開口８ａを形成したもので、その裏面側、すなわちディスプレイ２と反対の側の面にはカム溝１０が形成されている。このカム溝１０は、後述する一対の係合突起に係合するもので、図４に示すように左右対称に形成されたものである。すなわち、このカム溝１０は、一対の縦溝部１０ａ、１０ａと、これら縦溝部１０ａ、１０ａの一方に連続する円弧部１０ｂと、この円弧部１０ｂの両側部にてそれぞれ連続する二対の横溝部１０ｃ、１０ｃ‥とからなるものであり、縦溝部１０ａ、１０ａ及び横溝部１０ｃ、１０ｃ‥のそれぞれの両端部には、カム板８を貫通する小径の孔１０ｄ…が形成されている。
【００１８】
裏取付板９、９は、円弧状に形成された縁部を有してカム板８の両側に配設されたものである。この裏取付板９、９には、図１（ｂ）に示すようにカム板８と反対の側に、ディスプレイ２と反対の側に折り曲げられてなる折曲部９ａが形成されており、これら折曲部９ａ、９ａには、それぞれ外カバー１４の両側の側板１４ａ、１４ａがねじ等によって取り付けられている。外カバー１４は、図５に示すように取付部材（図示せず）によってその上部に天板１４ｂが取り付けられたもので、前記の回動機構３等を覆うよう構成されたものである。この外カバー１４には、その内面（ディスプレイ２側の面）に昇降機構４における可動部材１５、１５がそれぞれ取付固定されている。
【００１９】
昇降機構４は、前記可動部材１５を備えた一対の昇降部１６、１６と、ねじ等によりこれら昇降部１６、１６間に取り付けられた付勢部１７（図２参照）と、昇降部１６、１６を立てた状態で保持固定する設置板１８とを備えて構成されたものである。
昇降部１６は、図５及び図６に示すように、設置板１８に立てられた固定パイプ１９の外面（ディスプレイ２と反対の側の面）に、スライドベアリング２０における固定部材（図示せず）を取り付けたもので、このスライドベアリング２０の可動部材１５、１５が外カバー１４に取り付けられたことにより、この外カバー１４に取り付けられた裏取付板９、９、及びこれら裏取付板９、９に取り付けられた回動機構３、ディスプレイ２等を昇降可能に保持したものとなっている。
【００２０】
なお、スライドベアリング２０は、固定部材とこれに上下動可能に保持された可動部材１５とを有して構成された公知のものである。これら固定部材と可動部材１５との間にはベアリング（図示せず）が設けられており、これによって可動部材１５は、固定部材に対し円滑に上下動、すなわち鉛直方向に昇降するようになっている。ここで、可動部材１５は本発明における「可動部」となるものであり、一方、固定部材と前記の固定パイプ１９とは、本発明における「固定部」を構成するものである。
【００２１】
固定パイプ１９、１９の内側の側面には、それぞれダンパー２１が設けられている。ダンパー２１には、その先端側にギア部２１ａが回動可能に設けられており、このギア部２１ａはラック２２のギア部２２ａに歯合するようになっている。ラック２２、２２は、前記外カバー１４の内面（ディスプレイ２側の面）にそれぞれ取り付けられたものである。そして、このような構成のもとにダンパー２１、２１及びラック２２、２２は、ダンパー２１のギア部２１ａがラック２２のギア部２２ａに歯合することにより、これらギア部２１ａとギア部２２ａとの間、すなわち固定パイプ１９、１９側とこれに対して昇降するディスプレイ２側との間に所定の抵抗を付与するものとなっている。なお、これらダンパー２１、２１及びラック２２、２２は、本発明におけるダンパー機構を構成するものとなっている。
【００２２】
昇降部１６、１６の固定パイプ１９、１９間には、前記付勢部１７がねじ等によって取り付けられている。付勢部１７は、板部材２３ａと一対の取付ブロック２３ｂ及びＬ字部材２３ｃとからなる取付部材２３と、この取付部材２３に連結された３個の定荷重バネ（付勢部材）２４‥と、これら定荷重バネ２４‥を保持する軸２５と、この軸２５に取り付けられた一対の連結部材２６、２６とを備えて構成されたものである。この付勢部２３は、取付部材２３のＬ字部材２３ｃ、２３ｃが、固定パイプ１９の内側の側面、すなわち前記ダンパー２１が取り付けられた位置の少し上に取り付けられており、これによって取付部材２３側が、前述したように固定パイプ１９、１９間に固定されたものとなっている。なお、取付部材２３は、板部材２３ａに一対の取付ブロック２３ｂがネジ止めされ、さらにこれら取付ブロック２３ｂにＬ字部材２３ｃがネジ止めされたことにより、全体が一体化されたものである。
【００２３】
また、この取付部材２３には、その板部材２３ａに前記定荷重バネ２４の引き出し端２４ａ‥が、ねじ止めによって固定されている。定荷重バネ２４は、引き出し端２４ａと反対側の端部が糸巻き状に形成された保持具（図示せず）に固定され、さらにその状態でバネ部分が保持具に巻回されたものである。保持具は、その軸部（図示せず）に形成された貫通孔（図示せず）に前記軸２５が挿通されたことにより、該軸２５に対して回動可能に保持されたものである。軸２５には、保持具を挟んでその両側に板状の連結部材２６、２６が固定されている。これら連結部材２６、２６は、その一端側がねじ等によって前記外カバー１４の内面に固定されており、これによって軸２５及びこれに保持された保持具は、外カバー１４及びこれに取り付けられた裏取付板９、９を介してディスプレイ２と一体に昇降するようになっている。
【００２４】
ここで、３個の定荷重バネ２４‥の合計のバネ力（付勢力）、すなわち保持具から引き出されたバネの引き出し端２４ａ、２４ａを巻き戻そうとする力は、付勢部１７が支持する重量、すなわち本例では前記連結部材２６、２６、外カバー１４を介して軸２５が支持する総重量に、釣り合うように形成されている。具体的には、外カバー１４、可動部材１５、１５、裏取付板９、９、カム板８、回動装置７、上取付板５、下取付板６、６、及びディスプレイ２等の総重量に対し釣り合うように形成されている。そして、このような構成のもとに定荷重バネ２４‥は、そのバネ力（付勢力）が、軸２５で支持する総重量と常時均衡を保つようになっている。
【００２５】
また、ディスプレイ２に対して上方あるいは下方に力が加えられ、これにより外カバー１４や裏取付板９等を介して軸２５に上方あるいは下方への力が加わると、前記の均衡が崩れ、加えられた力の分だけ定荷重バネ２４‥にその巻き上げ又は引き出しが起こる。すると、保持具が軸２５を回動し、同時に外カバー１４や裏取付板９とこれに連結するディスプレイ２等の昇降がなされる。そして、加えられた力が解除されると、巻き上げ又は引き出しが停止し、その状態（位置）で止まり、再度均衡を保つようになる。
【００２６】
前記取付部材２３における一対の取付ブロック２３ｂは、図２に示したように略Ｌ字状のもので、それぞれその先端部、すなわちディスプレイ２側に突出した部分には、ボールベアリングからなる係合突起２７が突出した状態に取り付けられている。係合突起２７は、先端側に形成された凹部（図示せず）内にボール（図示せず）を、３６０°回転可能にかつ出没可能に保持したもので、前記のカム板８のカム溝１０に移動可能に係合するよう構成されたものである。これらボールベアリング２７のボールは、カム溝１０の底面に押圧されて内方に引っ込んでおり、カム溝１０内の孔１０ｄ…に対向した際、外方に突出して該孔１０ｄに係止するようになっている。そして、カム板８のカム溝１０と、これに移動可能に係合する係合突起２７、２７とにより、本発明における保持機構が形成されている。
【００２７】
また、本例においてディスプレイ２の電源コード２８は、図１（ｂ）に示したようにディスプレイ２の背面から回動装置７の内部孔及びカム板８の開口８ａを通り、さらに一方の固定パイプ１９内を通ってその下側から一端側（プラグ側）が引き出されるようになっている。これにより、電源コード２８はディスプレイ２の昇降や回動に干渉しないようになっている。
【００２８】
次に、このような構成からなるスタンド１の使用方法について説明する。
図１（ａ）、（ｂ）は、ディスプレイ２の角度については通常の使用形態、すなわち横置きの状態であり、また、ディスプレイ２の高さについては、例えば最大に高くした状態を示している。なお、このような状態のもとで、付勢部１７における一対の係合突起２７、２７は、図４においてＡで示す位置、すなわち円弧部１０ｂの中央部に形成された孔１０ｄ、１０ｄにそれぞれ係止している。
【００２９】
このような状態のもとで、ディスプレイ２を縦置きの状態にしたいときには、例えばディスプレイ２の端部（角部等）を押し下げあるいは引き上げる。すると、上取付板５及び下取付板６を介してディスプレイ２に一体的に固定された回動リング１２が、昇降機構４に一体的に固定された固定リング１１に対して回動することにより、ディスプレイ２は図７（ａ）、（ｂ）及び図８に示すように容易に回動し、縦置きになる。ここで、ディスプレイ２の端部を押し下げあるいは引き上げると、ディスプレイ２に回動リング１２を介して取り付けられたカム板８では、図４中において前記係合突起２７、２７による円弧部１０ｂの孔１０ｄ、１０ｄへの係止が解除される。そして、ディスプレイ２の回動方向に応じて、係合突起２７、２７は図４においてＢで示す位置、すなわちカム溝１０における円弧部１０ｂの一方の側、あるいは他方の側に相対的に移動し、その位置に形成された孔１０ｄ、１０ｄに係止する。なお、このようにして係合突起２７、２７が孔１０ｄ、１０ｄに係止することにより、ディスプレイ２を操作した者はこの係止した際のボールの突出を感じ取ることができ、これにより傾いた状態でない正規な状態に容易に合わせることができる。
【００３０】
また、このようにしてディスプレイ２を縦置きした状態のもとで、これを下降させて低くしたいときには、ディスプレイ２の中心部を押し下げる。すると、裏取付板９、９や外カバー１４等を介して軸２５に下方への力が加わり、これによって定荷重バネ２４‥による均衡が崩れ、加えられた力の分だけ定荷重バネ２４‥がその引き出し端２４ａ‥側をさらに引き出す。そして、これに連動して保持具が軸２５を回動し、ディスプレイ２が設置板１８側に下降する。なお、このようにしてディスプレイ２を下降させると、カム板８では、前記係合突起２７、２７による円弧部１０ｂの孔１０ｄ、１０ｄへの係止が解除される。そして、係合突起２７、２７は図４においてＣで示す位置、すなわち横溝部１０ｃ、１０ｃの一端側（カム板８の中心側の端側）に相対的に移動し、その位置に形成された孔１０ｄ、１０ｄに係止する。
【００３１】
また、このように縦置きの状態でかつ低く下げた状態から、高く上げたい場合には、先の操作とは逆の操作、すなわちディスプレイ２の中心部を押し上げればよい。
また、このように縦置きの状態でかつ低く下げた状態から、直接このディスプレイ２を横置きの状態にしようとしても、本例においてはそれができないようになっている。すなわち、図４におけるＣで示す位置は、横溝部１０ｃ、１０ｃにしか連続しておらず、したがって係合突起２７、２７はこの横溝部１０ｃ、１０ｃを移動する方向、すなわちディスプレイ２が押し上げられる方向にしか移動できないようになっているのである。
【００３２】
なお、ディスプレイ２を縦置きのままで押し上げ、これを上昇させた後には、係合突起２７、２７は図４におけるＢに示す位置となることから、先に述べた場合とは逆に、再度これを回動させ、図１（ａ）、（ｂ）に示したような横置きの状態に戻すことができる。
また、このような横置きで高い位置（上限位置）にある状態から、低い位置（下限位置）にしたい場合には、ディスプレイ２の中心部を押し下げる。すると、先に縦置きの状態で押し下げた場合と同様に、裏取付板９、９や外カバー１４等を介して軸２５に下方への力が加わり、これによって定荷重バネ２４‥による均衡が崩れ、加えられた力の分だけ定荷重バネ２４‥がその引き出し端２４ａ‥側をさらに引き出す。そして、これに連動して保持具が軸２５を回動し、ディスプレイ２が図９（ａ）、（ｂ）及び図１０に示すように設置板１８側に下降する。なお、このようにしてディスプレイ２を下降させると、カム板８では、前記係合突起２７、２７による円弧部１０ｂの孔１０ｄ、１０ｄへの係止が解除される。そして、係合突起２７、２７は図４においてＤで示す位置、すなわち縦溝部１０ａ、１０ａの一端側（カム板８の中心側の端側）に相対的に移動し、その位置に形成された孔１０ｄ、１０ｄに係止する。
【００３３】
また、このようにして横置きの状態でかつ低く下げた状態から、直接このディスプレイ２を縦置きの状態にしようとしても、本例においてはそれができないようになっている。すなわち、図４におけるＤで示す位置は、縦溝部１０ａ、１０ａにしか連続しておらず、したがって係合突起２７、２７はこの縦溝部１０ａ、１０ａを移動する方向、すなわちディスプレイ２が押し上げられる方向にしか移動できないようになっているのである。
したがって、横置きの状態でかつ低く下げた状態から、このディスプレイ２を縦置きの状態にしたい場合には、前述したように一旦このディスプレイ２を上昇させて係合突起２７、２７を図４におけるＡに示す位置に相対的に移動させ、その後これを回動する。さらに、必要に応じてこのディスプレイ２を下降させ、所望する位置にセットする。
【００３４】
なお、このようなディスプレイ２の昇降にあたっては、前述したようにダンパー２１のギア部２１ａがラック２２のギア部２２ａに歯合することにより、ディスプレイ２に対して一定以上の力を加えないと、その昇降がなされないようになっている。したがって、例えばディスプレイ２に加えた力を解除した際には、慣性力によってディスプレイ２が加えた力の方向に昇降してしまうといったことが防止されている。
【００３５】
このようなスタンド１にあっては、回動機構３によってディスプレイ２をその表示面方向に回動、すなわち横置きから縦置き、あるいはその逆に動かすことができ、また、昇降機構４によってディスプレイ２を鉛直方向に昇降させることができる。したがって、映像ソースの多様化に対応できるのはもちろん、ディスプレイ２を見る側からの要望にも、十分に応えることができるものとなる。
また、昇降部１６を一対設けたので、特にディスプレイ２が大型であり、重量物である場合にも、一対の昇降部１６、１６でディスプレイ２を昇降可能に保持することにより、昇降時にもガタツキがなく、また左右へのブレや揺れのない安定した保持及び昇降を行うことができる。さらに、ディスプレイ２を回動した際のモーメントにより、全体が傾き、倒れてしまうといった不都合も確実に防止することができる。
【００３６】
また、カム溝１０を有したカム板８と、このカム溝１０に移動可能に係合する係合突起２７、２７とからなる保持機構を設けたので、ディスプレイ２を横置きから縦置きにする場合やその逆の場合に、ディスプレイ２の側部（角部）がその支持面（設置面）に干渉しないような高さとなるようにカム溝１０における円弧部１０ｃの位置を形成しておくことにより、ディスプレイ２を回動させる際、これが支持面（設置面）に干渉して回動が不能になってしまうといった不都合を確実に防止することができる。
【００３７】
また、定荷重バネ２４‥のバネ力（付勢力）を、付勢部１７が支持する重量に釣り合うように形成したので、その巻き上げ又は引き出しにより、ディスプレイ２を所望する位置に自由に保持する、いわゆるフリーストップで高さ調整を行うことができる。
また、ダンパー機構によって固定パイプ１９側（固定部側）とディスプレイ２側（可動部側）との間に抵抗を付与するようにしたので、わずかな振動等によってディスプレイ２が不測に昇降（特に下降）してしまうといったことを防止することができる。
【００３８】
また、回動機構３を、比較的径の大きい固定リング１１及び回動リング１２によって構成しているので、大型のディスプレイ２を回動させる際、このディスプレイ２の重量を大径の回動リング１２によって安定的にバランス良く支持することができ、したがってその回動を安全かつ円滑に行わせることができる。
また、回動位置あるいは上限位置、下限位置では、操作者は係合突起２７のボールがカム溝１０の孔１０ｄに入り込んでこれに係止するときのクリック感を感じることができることから、操作性がよいものとなる。
【００３９】
図１１は本発明の表示装置用スタンドの他の実施形態例を示す図であり、図１１中符号３０は表示装置用スタンド（以下、スタンドと記す）である。
スタンド３０は、ディスプレイ２の背面に取り付けられたスタンド本体３１と、このスタンド本体３１を立てた状態で保持固定する設置板３２と、スタンド本体３１の裏面側を覆うカバー３３とからなるものである。
スタンド本体３１は、図１２に示すようにディスプレイ２を回動可能に保持する回動機構３４と、この回動機構３４を介してディスプレイ２を昇降可能に保持する昇降機構３５とを備えて構成されたものである。
回動機構３４は、図１３に示すようにねじ等（図示せず）によりディスプレイ２の背面に取り付けられたディスプレイホルダ３６と、ねじ等によりこのディスプレイホルダ３６に取り付けられたリング状の前記回動装置７（図３（ａ）〜（ｃ）参照）と、ねじ等によりこの回動装置７の背面側に取り付けられた本体板３７とを備えて構成されたものである。
【００４０】
ディスプレイホルダ３６は、細板が円環状に形成されてなる円環３８と、この円環３８を保持する板部３９と、この板部３９に並んで取り付けられた２個のラッチ４０、４０とからなるものである。円環３８には、これを周方向に４分割した位置、すなわち９０°間隔でその内縁側（ディスプレイ２と反対の側）に切欠３８ａが形成されており、また、この円環３８の内面における二つの切欠３８ａ、３８ａ間には、ギア部材３８ｂがねじ等により取り付けられている。ここで、切欠３８ａは、後述する回転ラッチの係合片に係合可能に形成されたものである。
【００４１】
なお、前記ギア部材３８ｂが取り付けられた位置の上側には、前記ラッチ４０、４０が取り付けられている。ラッチ４０は、その外側に係合部４０ａを有し、この係合部４０ａに後述する係合部材が着脱可能に係合するよう構成されたものである。板部３９は、前記切欠３８ａが形成された位置にて円環３８を支持する支持部３９ａと、これら支持部３９ａに連続した略円形状の取付板３９ｂとからなるものである。
【００４２】
回動装置７は、前述したように大径の固定リング１１とこれに回動可能に取り付けられた小径の回動リング部１２とを有して形成されたもので、固定リング１１の正面側（ディスプレイ２側）が前記取付板３９ｂに取り付けられたものである。なお、この固定リング１１が前記取付板３９ｂに取り付けられた際、前記ラッチ４０、４０は回動装置７に干渉することなく、その内側の開口部に位置するようになっている。
【００４３】
本体板３７は、前記回動装置７の回動リング部１２の裏面側（ディスプレイ２と反対の側）を、ねじ等により支持固定する略正方形状の支持板３７ａと、この支持板３７ａの両側に設けられた側板３７ｂ、３７ｂとからなるものである。支持板３７ａには、その上側に半円弧状の開口４１が形成されており、前記ディスプレイホルダ３６の取付板３９ｂに取り付けられたラッチ４０、４０が、この開口内４１を移動できるようになっている。また、支持板３７ａのほぼ中心部には円形状の開口４２が形成されており、この開口４２の斜め下側には回転ラッチ４３が取り付けられている。この回転ラッチ４３は、後述するように回動動作を進退の動作に変換するもので、支持板３７ａの裏面側に回動動作をなすギア４３ａを有し、正面側に進退動作をなす進退機構４３ｂを有したものである。
【００４４】
また、支持板３７ａの裏面側には、その四隅に、それぞれ前記取付板３９ｂに取り付けられたものと同一のラッチ４４が取り付けられている。これらラッチ４４において、支持板３７ａの上側に設けられた二個は、それぞれその係合部４４ａを下側に向けて配置され、また下側に設けられた二個は、それぞれその係合部４４ａを上側に向けて配置されている。
また、支持板３７ａの正面側には、前記開口４１と開口４２との間に、二つのロータリーダンパ（図示せず）が取り付けられている。これらロータリーダンパは、前述したギア部材３８ｂに係脱可能に歯合するギア（図示せず）を有したもので、後述するように回動装置７によってディスプレイ２を回動させた際、そのギアがギア部材３８ａに歯合することで抵抗を付与し、ディスプレイ２が過剰な速さで回動するのを抑えるためのものである。
【００４５】
また、この本体板３７における側板３７ｂ、３７ｂには、図１４に示すように昇降機構３５が連結されている。
昇降機構３５は、図１４、図１５に示すように可動部材４６、４７を備えた一対の昇降部４８、４８と、ねじ等によりこれら昇降部４８、４８間に取り付けられた付勢部４９とを備えて構成されたものである。
昇降部４８は、図１４、図１５、図１６に示すように設置板３２に立てられる固定パイプ５０の外部（ディスプレイ２と反対の側の面）にスライドレール５１の固定部材（図示せず）側を、また内部にスライドレール５２の固定部材（図示せず）側を取り付けたものである。ここで、スライドレール５２の可動部材４７には、横断面Ｌ字状のスライドレールホルダ５３がねじ等によって取り付けられており、このスライドレールホルダ５３の可動部材４７に接続した板部と異なる方の板部５３ａが、固定パイプ５０において前記スライドレール５１の可動部材４６と同じ側に位置させられている。
【００４６】
そして、このようにして固定パイプ５０の外部に位置させられたスライドレール５１の可動部材４６、およびスライドレールホルダ５２の可動部材４７に接続したスライドレールホルダ５３を覆い、かつこれらに連結した状態で、横断面略Ｌ字状のシャフトホルダ５４が昇降部４８に設けられている。このような構成のもとにこのシャフトホルダ５４は、前記可動部材４６、４７とともに、スライドレール５１、５２の固定部材に対して、すなわち固定パイプ５０に対して昇降（可動）するようになっている。
【００４７】
そして、このシャフトホルダ５４、５４のそれぞれの外側の側面には、前記の本体板３７の側板３７ｂ、３７ｂがねじ等によって取り付けられている。したがって、この本体板３７、さらには本体板３７に連結した回動装置７、ディスプレイホルダ３６、ディスプレイ２も、シャフトホルダ５４、５４とともに固定パイプ５０に対して昇降（可動）するようになっている。
【００４８】
また、前記シャフトホルダ５４には、その一方の板部の下端部に、付勢部４９を取り付けるための取付部５４ａが内側に折曲した状態で形成されている。また、この取付部５４ａには、その上側に折曲片５４ｂが形成され、さらにこの折曲片５４ｂの下方に取付孔５４ｃが形成されている。
【００４９】
また、固定パイプ５０には、その下端部に前記設置板３２に取り付けるための脚部５０ａが設けられており、この脚部５０ａが形成された側には反力バネ５５が取り付けられている。この反力バネ５５は、前記シャフトホルダ５４がスライドレール５１、５２の動作によって下降した際、このシャフトホルダ５４の下端に当接することにより、これに支持される荷重によって生じる衝撃を緩和するよう構成されたものである。
【００５０】
また、固定パイプ５０には、そのディスプレイ２側の面の上端部に、前記ラッチ４０の係合部４０ａおよびラッチ４４の係合部４４ａに係合する係合部材５６が取り付けられている。この係合部材５６は、図１７に示すように、固定パイプ５０にねじ等によって取り付けられる取付板５６ａと、この取付板５６ａの一方の側（内側）に形成された係合突起５６ｂと、取付板５６ｂの他方の側（外側）に形成された一対の係合突起５６ｃ、５６ｄとからなるものである。係合突起５６ｂは、上方に向けて形成されたもので、前述したラッチ４０、４０のうちの一方の係合部４０ａに着脱可能に係合するものである。
【００５１】
これらラッチ４０と係合部材５６の係合突起５６ｂとの着脱の機構を、図１８、図１９を用いて説明する。
ラッチ４０は、図１８（ａ）に示すようにケース４０ｂと、ケース４０ｂ内に二つの軸５７ａ、５７ｂで支持されて設けられたツメ部材４０ｃと、このツメ部材４０ｃの下側に進退可能に設けられたスライダ４０ｄと、前記ツメ部材４０ｃとスライダ４０ｄとの間を連結するバネ４０ｅとから構成された従来公知のものである。
なお、このラッチ４０において二つの軸５７ａ、５７ｂは、これら二つの軸５７ａ、５７ｂに係合させた状態でツメ部材４０ｃを支持しているものの、基本的には軸５７ｂ上でツメ部材４０ｃをシーソー運動させるよう構成されたものである。そして、このシーソー運動により、後述するようにツメ部材４０ｃの先端部４０ｆを昇降させ、これにより係合部材５６の係合突起５６ｂをロックしあるいはその状態から解除する動作をなすようになっている。ここで、ツメ部材４０ｃは軸５７ｂ上でシーソー運動することから、その動作の過程において、軸５７ａ、５７ｂに対し隙間をあけた状態となることもある。
【００５２】
このような構成のラッチ４０に対し、係合部材５６の係合突起５６ｂを、図１８（ｂ）に示すようにラッチ４０の係合部４０ａ側に押し入れると、この係合突起５６ｂによってスライダ４０ｄが押し込まれる。すると、図１８（ｃ）に示すようにスライダ４０ｄによって引っ張られたバネ４０ｅの付勢力によってツメ部材４０ｃの先端側（係合部４０ａ側）が下降する。そして、バネ４０ｅの付勢力でスライダ４０ｄは図１８（ｃ）に示すように係合部４０ａ側に引き戻され、これにより係合突起５６ｂも押し戻される。
【００５３】
このようにして係合突起５６ｂが引き戻されると、係合突起５６ｂは図１８（ｄ）に示すようにツメ部材４０ｃのツメ部分４０ｆに係合する。そして、バネ４０ｅの付勢力によってツメ部材４０ｃのツメ部分４０ｆが図１８（ｅ）に示すように前記係合突起５６ｂに係合した状態を維持しつつ上昇し、これによって係合突起５６ｂは、ラッチ４０に係合した状態となってこれから抜けなくなる。
【００５４】
また、係合突起５６ｂをラッチ４０から外すには、まず、図１９（ａ）に示すように、ラッチ４０に対して係合部材５６の係合突起５６ｂを再度押し入れる。すると、この係合突起５６ｂによってスライダ４０ｄが押し込まれ、図１９（ｂ）に示すようにスライダ４０ｄによって引っ張られたバネ４０ｅの付勢力により、ツメ部材４０ｃの先端側（係合部４０ａ側）が上昇する。そして、バネ４０ｅの付勢力でスライダ４０ｄは図１９（ｃ）に示すように係合部４０ａ側に引き戻され、これにより係合突起５６ｂも押し戻され、これにより係合突起５６ｂのラッチ４０への係合が解除される。すると、再度バネ４０ｅの付勢力によってツメ部材４０ｃの先端側が下降し、図１８（ａ）に示した初期の状態に戻る。
【００５５】
なお、このような係合突起５６ｂとラッチ４０との係合、およびこの状態からの脱着は、後述するようにディスプレイ２の回動動作に伴われてラッチ４０、４０が取り付けられたディスプレイホルダ３６が回動することにより、なされるようになっている。
【００５６】
また、前記の係合突起５６ｃおよび係合突起５６ｄは、それぞれ前記ラッチ４４のうちの対応する１つに着脱可能に係合するものである。すなわち、上方に向けて形成された係合突起５６ｃは、係合部４４ａを下側に向けて配置されたラッチ４４に係合し、下方に向けて形成された係合突起５６ｄは、係合部４４ａを上側に向けて配置されたラッチ４４に係合するようになっている。なお、ラッチ４４は前記のラッチ４０と同一構成であり、係合突起５６ｃ、５６ｄも前記の係合突起５６ｂと同一構成であるので、ラッチ４４と係合突起５６ｃあるいは５６ｄとの着脱の機構は、図１８、図１９に示した機構と同一となる。
【００５７】
また、前記スライドレール５１、５２は、前記スライドベアリング２０と同様、固定部材とこれに上下動可能に保持された可動部材４６（４７）とを有して構成された公知のものである。すなわち、固定部材と可動部材４６（４７）との間にはベアリング（図示せず）が設けられており、これによって可動部材４６（４７）は、固定部材に対し円滑に上下動、すなわち鉛直方向に昇降するようになっている。ここで、可動部材４６（４７）は本発明における「可動部」となるものであり、一方、固定部材と前記の固定パイプ５０とは、本発明における「固定部」を構成するものである。
【００５８】
昇降部４８、４８の固定パイプ５０、５０間には、図１４に示したように前記付勢部４９がねじ等によって取り付けられている。付勢部４９は、門型のバネホルダ５８と、このバネホルダ５８に連結された３個の定荷重バネ（付勢部材）５９‥と、これら定荷重バネ５９‥を保持する軸６０とを備えて構成されたものである。この付勢部４９にあっては、バネホルダ５８が固定パイプ５０の内側で上端側の側面に取り付けられており、これによってこのバネホルダ５８側が、固定パイプ５０、５０間に固定されたものとなっている。
【００５９】
ここで、バネホルダ５８には、その水平板５８ａの両端部に、それぞれ鉛直方向に垂下した状態でバネ軸６１が取り付けられ、このバネ軸６１に反力バネ６２が巻装されている。反力バネ６２は、前記シャフトホルダ５４がスライドレール５１、５２の動作によって上昇した際、このシャフトホルダ５４の折曲片５４ｂに当接することにより、これに支持される荷重によって生じる衝撃を緩和するよう構成されたものである。
【００６０】
また、このバネホルダ５８には、前記水平板５８ａの一方の側（ディスプレイ２と反対の側）に形成された折曲板５８ｂに、前記定荷重バネ５９の引き出し端５９ａ‥が、ねじ止めによって固定されている。定荷重バネ５９は、前記の定荷重バネ２４と同じもので、引き出し端５９ａと反対側の端部が糸巻き状に形成された保持具（図示せず）に固定され、さらにその状態でバネ部分が保持具に巻回されたものである。
【００６１】
保持具は、その軸部（図示せず）に形成された貫通孔（図示せず）に前記軸６０が挿通されたことにより、該軸６０に対して回動可能に保持されたものである。軸６０は、その両端が前記シャフトホルダ５４の取付孔５４ｃに挿通され支持されており、これによって定荷重バネ５９を固定した保持具は、昇降部４８、４８のシャフトホルダ５４、５４間に挟まれた状態で保持されたものとなっている。
【００６２】
ここで、３個の定荷重バネ５９‥の合計のバネ力（付勢力）、すなわち保持具から引き出されたバネの引き出し端５９ａ、５９ａを巻き戻そうとする力は、前記実施形態における定荷重バネ２４と同様、付勢部４９が支持する重量に釣り合うように形成されている。そして、このような構成のもとに定荷重バネ５９‥は、そのバネ力（付勢力）が、軸６０で支持する総重量と常時均衡を保つようになっている。
【００６３】
また、ディスプレイ２に対して上方あるいは下方に力が加えられ、これにより軸６０に上方あるいは下方への力が加わると、前記の均衡が崩れ、加えられた力の分だけ定荷重バネ５９‥にその巻き上げ又は引き出しが起こる。すると、保持具が軸６０を回動し、同時にディスプレイ２等の昇降がなされる。そして、加えられた力が解除されると、巻き上げ又は引き出しが停止し、その状態（位置）で止まり、再度均衡を保つようになる。
【００６４】
また、前記バネホルダ５８における、前記水平板５８ａの他方の側（ディスプレイ２側）には二つの折曲板５８ｃが形成されており、そのうちの一方には、その内側の側縁部にギア（図示せず）が設けられている。このギアは、縦方向（鉛直方向）に延びて形成されたもので、前記の回転ラッチ４３のギア４３ａに歯合するよう構成されたものである。すなわち、このギアは、前記の本体板３７がシャフトホルダ５４とともに昇降した際、本体板３７に設けられた回転ラッチ４３のギア４３ａに歯合することにより、進退機構４３ｂに進退動作をなさせるものである。
【００６５】
この回転ラッチ４３の進退動作の機構を、図２０を用いて説明する。
この回転ラッチ４３は、図２０（ａ）に示すようにケース４３ｃと、このケース４３内に進退可能に収容された進退部材４３ｄと、前記ギア４３ａの軸に連結した作動金具４３ｅと、この作動金具４３ｅを付勢する板バネ４３ｆとから進退機構４３ｂを構成する従来公知のものである。なお、図２０（ａ）では、進退部材４３ｄが前進しており、その係合片４３ｇが突出している状態を示している。
【００６６】
このような状態の回転ラッチ４３に対し、前述したように本体板３７が上昇し、バネホルダ５８の折曲板５８ｃに設けられたギアが回転ラッチ４３のギア４３ａに歯合すると、このギア４３ａは、本体板３７が上昇したことによって正逆のいずれか一方に回動する。すると、ギア４３ａと同じ軸に連結した作動金具４３ｅは、図２０（ｂ）に示すように図２０（ａ）に示した位置と反対の側に回動する。そして、これにより作動金具４３ａの一方の側に設けられた係合ツメ４３ｈは、進退部材４３ｄの開口４３ｉに係合することによってこれを付勢し、進退部材４３ｄを後退させる。
【００６７】
この動作がさらに続けられると、図２０（ｃ）に示すように進退部材４３ｄがさらに後退し、その係合片４３ｇが完全にケース４３内側に埋没する。このような動作において、図２０（ａ）、図２０（ｃ）に示した状態では、作動金具４３ｅは板バネ４３ｆによって付勢されていることにより、ロックされたものとなっている。したがって、図２０（ａ）、図２０（ｃ）に示した状態では、作動金具４３を回動させる力、すなわち本体板３７を昇降させる力が働かないと、進退部材４３ｄはその状態で固定されたもとなる。
【００６８】
なお、図２０（ｃ）の進退部材４３ｄが後退した状態から図２０（ａ）の進退部材４３ｄが前進した状態に移行させるためには、本体板３７を下降させ、回転ラッチ４３のギア４３ａを先の場合とは逆に、すなわち正逆方向の他方に回動させることで、行うことができる。
ここで、このような構成からなる回転ラッチ４３と、前述したように回転ラッチ４３の係合片４３ｇに係脱可能に係合する円環３８の切欠３８ａとから、本発明における保持機構が構成されている。
【００６９】
カバー３３は、前記付勢部４９を覆うもので、前記本体板３７の側板３７ｂの上から、ねじ等によってシャフトホルダ５４に取り付けられたものである。
なお、本実施形態においても、ディスプレイ２の電源コード（図示せず）はディスプレイ２の昇降や回動に干渉しないようになっている。
【００７０】
次に、このような構成からなるスタンド３０の使用方法について説明する。
まず、図２１（ａ）に示すように、ディスプレイ２の角度については通常の使用形態、すなわち横置きの状態であり、また、ディスプレイ２の高さについては、最も高い状態（上限位置）を考えてみる。このような状態のもとでは、回転ラッチ４３はその係合片４３をケース４３ｃ内に埋没させており、したがって係合片４３は、前述したようにディスプレイホルダ３６の円環３８に形成された切欠３８ａに係合した状態とはなっていない。したがって、この状態では本体板３７に対してディスプレイホルダ３６が回動可能となっている。
【００７１】
また、このディスプレイ２が最も高い状態では、本体板３７に取り付けられた下側のラッチ４４、４４が固定パイプ５０に取り付けられた係合部材５６の係合突起５６ｄに係合しており、したがってディスプレイ２はこの位置にロックされた状態となっている。
【００７２】
このようにディスプレイ２が横置きでかつ高い状態から、縦置きにしたい場合には、その状態から、図２１（ｂ）に示すようにディスプレイ２の端部（角部等）を押し下げあるいは引き上げることで、ディスプレイ２を回動させたい方向に回す。すると、ディスプレイ２を支持するディスプレイホルダ３６と本体板３７との間、さらにはディスプレイホルダ３６と固定パイプ５０ｇとの間には回転ラッチ４３やラッチ４０によるロックがかかっていないため、これらの間に設けられた回動装置７によってディスプレイホルダ３６が円滑に回動し、図２１（ｃ）に示すように９０°回動して右向きあるいは左向きの縦置き状態となる。このとき、ディスプレイ２は予め設定された高い位置でその回動がなされるため、回動中心から最も遠くに位置する角部が最下点に到達しても、これが設置板３２に接触することなく回動するようになっている。
【００７３】
また、このようにしてディスプレイ２を縦置きした状態のもとで、これを下降させて低くしたいときには、まず、一旦ディスプレイ２を上昇させる方向に力を加え、その後すぐにその力を除く。すると、前述したラッチ４４の着脱機構により、本体板３７に取り付けられた下側のラッチ４４、４４から固定パイプ５０に取り付けられた係合部材５６の係合突起５６ｄが脱着し、これによってディスプレイ２はそのロック状態が解除される。
【００７４】
続いて、図２１（ｄ）に示すようにディスプレイ２を押し下げる。すると、本体板３７、シャフトホルダ５４を介して軸６０に下方への力が加わり、これによって定荷重バネ５９‥による均衡が崩れ、加えられた力の分だけ定荷重バネ５９‥がその引き出し端５９ａ‥側をさらに引き出す。そして、これに連動して保持具が軸６０を回動し、ディスプレイ２が設置板３２側に下降する。このとき、ディスプレイ２に伴われてシャフトホルダ５４が下降するが、このようにしてシャフトホルダ５４が下降した際、前述した反力バネ５５の作用により、ディスプレイ２の下降に伴う衝撃が緩和されるようになっている。
【００７５】
また、このように縦置きの状態で下降させると、ディスプレイホルダ３６に設けられたラッチ４０、４０のいずれか一方が、その係合部４０ａを下方に向けているため、これが固定パイプ５０に設けた係合部材５６の係合突起５６ｂに係合し、その状態で固定される。したがって、このようにディスプレイ２を縦置きの状態にした場合には、ラッチ４０によってその下限位置が決定され、ここにディスプレイ２がロックされるため、ディスプレイ２が設置板３２に接触してしまうことが防止される。
【００７６】
さらに、このようにしてディスプレイ２を下降させると、本体板３７の下降に伴い、回転ラッチ４３のギア４３ａがバネホルダ５８の折曲板５８ｃに設けられたギアによって回動させられる。すると、前述したように回転ラッチ４３の進退部材４３ｄが前進し、係合片４３ｇがケース４０ｂより突出することにより、この係合片４３ｇがディスプレイホルダ３６の円環３８の切欠３８ａの１つに係合する。そして、これによりディスプレイ２は、その回動がなされないようロックされた状態に保持される。したがって、このようにして縦置きの状態でかつ低く下げた状態からは、直接このディスプレイ２を横置きの状態に回動できないようになる。
【００７７】
また、このように縦置きの状態でかつ低く下げた状態から、高く上げたい場合には、先の操作とは逆の操作を行えばよい。すなわち、一旦ディスプレイ２を下降させる方向に力を加え、その後すぐにその力を除く。すると、ラッチ４０から係合突起５６ｂが脱着し、これによってディスプレイ２はそのロック状態が解除される。したがって、その状態のもとでディスプレイ２を押し上げれば、縦置きの状態で高く上げることができる。
なお、このようにしてディスプレイ２を上昇させると、前述した回転ラッチ４３が再度動作し、進退部材４３ｄが後退することにより、その係合片４３ｇとディスプレイホルダ３６の円環３８の切欠３８ａとの係合が解除され、ディスプレイ２の回動が可能になる。
【００７８】
したがって、このようにディスプレイ２を縦置きのままで押し上げ、これを上昇させた後には、再度ディスプレイ２を回動させることにより、図２１（ａ）に示したような横置きの状態に戻すことができる。
また、このような横置きで高い位置（上限位置）にある状態から、低い位置（下限位置）にしたい場合には、前述した縦置きの場合と同様、まず、一旦ディスプレイ２を上昇させる方向に力を加え、その後すぐにその力を除く。すると、前述したラッチ４４の着脱機構により、本体板３７に取り付けられた下側のラッチ４４、４４から固定パイプ５０に取り付けられた係合部材５６の係合突起５６ｄが脱着し、これによってディスプレイ２はそのロック状態が解除される。
【００７９】
続いて、図２１（ｅ）に示すようにディスプレイ２を押し下げると、本体板３７、シャフトホルダ５４を介して軸６０に下方への力が加わり、これによって定荷重バネ５９‥による均衡が崩れ、加えられた力の分だけ定荷重バネ５９‥がその引き出し端５９ａ‥側をさらに引き出す。そして、これに連動して保持具が軸６０を回動し、ディスプレイ２が設置板３２側に下降する。
【００８０】
また、このように横置きの状態で下降させると、本体板３７に取り付けられた上側のラッチ４４、４４が固定パイプ５０に取り付けられた係合部材５６の係合突起５６ｃに係合し、これによってディスプレイ２はその位置にロックされた状態となる。
【００８１】
さらに、このようにしてディスプレイ２を下降させると、縦置きの状態で下降させた場合と同様に、本体板３７の下降に伴い、回転ラッチ４３のギア４３ａがバネホルダ５８の折曲板５８ｃに設けられたギアによって回動させられる。すると、前述したように回転ラッチ４３の進退部材４３ｄが前進し、係合片４３ｇがケース４０ｂより突出することにより、この係合片４３ｇがディスプレイホルダ３６の円環３８の切欠３８ａの１つに係合する。そして、これによりディスプレイ２は、その回動がなされないようにロックされた状態で保持されたものとなる。したがって、このようにして横置きの状態でかつ低く下げた状態からは、直接このディスプレイ２を縦置きの状態に回動できないようになる。
【００８２】
また、このように横置きの状態でかつ低く下げた状態から、このディスプレイ２を縦置きの状態にしたい場合には、前述したように一旦このディスプレイ２を上昇させる必要がある。そこで、まず、一旦ディスプレイ２を下降させる方向に力を加え、その後すぐにその力を除く。すると、前述したラッチ４４の着脱機構により、本体板３７に取り付けられた上側のラッチ４４、４４から固定パイプ５０に取り付けられた係合部材５６の係合突起５６ｃが脱着し、これによってディスプレイ２はそのロック状態が解除される。したがって、その状態のもとでディスプレイ２を押し上げればよい。
なお、このようにしてディスプレイ２を上昇させると、前述した回転ラッチ４３が再度動作し、進退部材４３ｄが後退することにより、その係合片４３ｇとディスプレイホルダ３６の円環３８の切欠３８ａとの係合が解除され、図２１（ａ）に示したようにディスプレイ２の回動が可能になる。
【００８３】
このようなスタンド３０にあっても、回動機構３４によってディスプレイ２をその表示面方向に回動、すなわち横置きから縦置き、あるいはその逆に動かすことができ、また、昇降機構３５によってディスプレイ２を鉛直方向に昇降させることができる。したがって、映像ソースの多様化に対応できるのはもちろん、ディスプレイ２を見る側からの要望にも、十分に応えることができるものとなる。また、昇降部４８を一対設けたので、特にディスプレイ２が大型であり、重量物である場合にも、一対の昇降部４８、４８でディスプレイ２を昇降可能に保持することにより、昇降時にもガタツキがなく、また左右へのブレや揺れのない安定した保持及び昇降を行うことができる。さらに、ディスプレイ２を回動した際のモーメントにより、全体が傾き、倒れてしまうといった不都合も確実に防止することができる。
【００８４】
また、回転ラッチ４３と円環３８の切欠３８ａとからなる保持機構を設けたので、ディスプレイ２を横置きから縦置きにする場合やその逆の場合に、ディスプレイ２の側部（角部）がその支持面（設置面）に干渉しないような高さとなるように、回動ラッチ４３のギア４３ａとこれに歯合するギアとの位置等を決定しておくことにより、ディスプレイ２を回動させる際、これが支持面（設置面）に干渉して回動が不能になってしまうといった不都合を確実に防止することができる。
【００８５】
また、回動機構３を、比較的径の大きい固定リング１１及び回動リング１２によって構成しているので、大型のディスプレイ２を回動させる際、このディスプレイ２の重量を大径の回動リング１２によって安定的にバランス良く支持することができ、したがってその回動を安全かつ円滑に行わせることができる。
また、縦置き、横置きにかかわらず、上限位置あるいは下限位置では、操作者はラッチ４０あるいはラッチ４４の解除動作を行わないとディスプレイ２の昇降を行うことができず、したがって不測にこれが昇降してしまうといった不都合を回避することができる。
【００８６】
なお、本発明は前記実施形態にも限定されることなく、本発明の要旨を逸脱しない限り種々の変更が可能である。例えば、前記例では付勢部１７において付勢部材となる定荷重バネ２４を三つ設けたが、ディスプレイ（表示装置）等の重量と釣り合わせるため、定荷重バネ２４を二つ以下、あるいは四つ以上用いてもよい。
また、前記例のスタンドでは、搭載する表示装置をディスプレイとしたが、他に例えば、自由に記載を行うための白板などを表示装置とし、これを搭載するようにしてもよい。
【００８７】
【発明の効果】
以上説明したように本発明の表示装置用スタンドは、回動機構によって表示装置をその表示面方向に回動、すなわち横置きから縦置き、あるいはその逆に動かすことができるようにし、また、昇降機構によって表示装置を鉛直方向に昇降させることができるようにしたものであるから、映像ソースの多様化に対応できるのはもちろん、表示装置を見る側からの要望にも十分に応えることができる有効なものとなる。
【００８８】
また、特に表示装置が大型であり、重量物である場合にも、一対の固定部および可動部で表示装置を昇降可能に保持することにより、昇降時にもガタツキがなく、また左右へのブレや揺れのない安定した保持及び昇降を行うことができる。さらに、表示装置を回動した際のモーメントにより、全体が傾き、倒れてしまうといった不都合を確実に防止することができる。
【００８９】
また、昇降機構が、前記表示装置を支持する付勢部を備えて形成され、前記付勢部に、該付勢部が支持する重量に釣り合うように形成された付勢部材が備えられるようにすることにより、表示装置に力を加えてこれを昇降させた後、加えた力を解除すると表示装置がその位置で付勢部材の付勢力に釣り合い、その高さを維持するようになる。したがって、この表示装置を、自由に高さ調整が可能となる、いわゆるフリーストップにすることができる。
【００９０】
また、昇降機構に、表示装置の昇降の際に前記固定部側と可動部側との間に抵抗を付与するダンパー機構を設ければ、わずかな振動等によって表示装置が不測に昇降（特に下降）してしまうことを防止することができる。
【００９１】
また、前記回動機構に、前記昇降機構によって前記表示装置が所定の高さ以上に上昇させられた状態でのみ、該表示装置の回動を可能とする保持機構を設け、前記の所定の高さを、表示装置を横置きから縦置きにする場合やその逆の場合に表示装置の側部（角部）がその支持面（設置面）に干渉しないような高さとしておくことにより、表示装置を回動させる際、これが支持面（設置面）に干渉して回動が不能になってしまうといった不都合を確実に防止することができる。
【図面の簡単な説明】
【図１】本発明の表示装置用スタンドの一実施形態例を示す図であって、表示装置（ディスプレイ）を引き上げさらに横置きした状態を示す図であり、（ａ）は正面側を示す斜視図、（ｂ）は背面側を示す斜視図である。
【図２】図１に示したスタンドにおいて、主に回動機構と昇降機構の一部とを説明するための要部分解斜視図である。
【図３】回動機構を説明するための図であり、（ａ）は回動リングの正面図および側断面図、（ｂ）は固定リングの正面図および側断面図、（ｃ）は回動装置の側断面図である。
【図４】カム板におけるカム溝の形状と、このカム溝内を相対的に移動する係合突起の位置とを説明するための模式図である。
【図５】図１に示したスタンドにおいて、主に昇降機構の一部を説明するための要部分解斜視図である。
【図６】図１におけるスタンドの要部拡大図である。
【図７】図１に示した表示装置用スタンドにおいて、表示装置（ディスプレイ）を縦置きした状態を示す図であり、（ａ）は正面側を示す斜視図、（ｂ）は背面側を示す斜視図である。
【図８】図７におけるスタンドの要部拡大図である。
【図９】図１に示した表示装置用スタンドにおいて、表示装置（ディスプレイ）を引き下げさらに横置きした状態を示す図であり、（ａ）は正面側を示す斜視図、（ｂ）は背面側を示す斜視図である。
【図１０】図９におけるスタンドの要部拡大図である。
【図１１】本発明の表示装置用スタンドの他の実施形態例を示す図であって、表示装置（ディスプレイ）を横置きした状態の背面側を示す斜視図である。
【図１２】図１１に示したスタンドの、スタンド本体の概略構成を示す斜視図である。
【図１３】図１１に示したスタンドにおいて、主に回動機構を説明するための要部分解斜視図である。
【図１４】図１１に示したスタンドにおいて、主に昇降機構と付勢部とを説明するための要部分解斜視図である。
【図１５】図１１に示したスタンドにおいて、主に昇降部を説明するための要部分解斜視図である。
【図１６】図１１に示したスタンドにおける、昇降部の概略構成を示す斜視図である。
【図１７】図１１に示したスタンドにおける、係合部材の概略構成を示す斜視図である。
【図１８】（ａ）〜（ｅ）は、ラッチと係合突起との着脱の機構を説明するための図である。
【図１９】（ａ）〜（ｄ）は、ラッチと係合突起との着脱の機構を説明するための図である。
【図２０】（ａ）〜（ｃ）は、回転ラッチの進退動作の機構を説明するための図である。
【図２１】（ａ）〜（ｅ）は、図１１に示したスタンドの使用方法を説明するための図である。
【符号の説明】
１、３０…スタンド（表示装置用スタンド）、
２…ディスプレイ（表示装置）、３、３４…回動機構、４、３５…昇降機構、
７…回動装置、８…カム板、１０…カム溝、
１５、４６、４７…可動部材（可動部）、１６、４８…昇降部、
１７、４９…付勢部、１９、５０…固定パイプ（固定部）、
２４、５９…定荷重バネ（付勢部材）、２７…係合突起、
４０、４４…ラッチ、４３…回転ラッチ、５６…係合部材
【図１】
2004070279.tif 000003
【図２】
2004070279.tif 000004
【図３】
2004070279.tif 000005
【図４】
2004070279.tif 000006
【図５】
2004070279.tif 000007
【図６】
2004070279.tif 000008
【図７】
2004070279.tif 000009
【図８】
2004070279.tif 000010
【図９】
2004070279.tif 000011
【図１０】
2004070279.tif 000012
【図１１】
2004070279.tif 000013
【図１２】
2004070279.tif 000014
【図１３】
2004070279.tif 000015
【図１４】
2004070279.tif 000016
【図１５】
2004070279.tif 000017
【図１６】
2004070279.tif 000018
【図１７】
2004070279.tif 000019
【図１８】
2004070279.tif 000020
【図１９】
2004070279.tif 000021
【図２０】
2004070279.tif 000022
【図２１】
2004070279.tif 000023